(57)【要約】【課題】  利便性を損なうことなく収納棚等の外観上の統一感を維持することができる昇降棚を提供する。【解決手段】  本発明の昇降棚１０は、棚箱１１と、棚箱１１が下側空間内に収容される収容位置と、収容位置よりも下方でかつ前方に位置する下降位置との間を昇降自在に、棚箱１１を支持する支持リンク１２とを備えている。支持リンク１２は、棚箱が下方向に移動するときにその上端縁が第１の点Ｏから第２の点Ｐへ向けて移動する際の当該上端縁の軌跡を示す式ｙ＝ｆ（ｘ）が、次の条件１及び２を満たすように棚箱１１を支持している。条件１：ｆ´´（ｘ）  ＞  ０、条件２：ｆ（ａ）  ＜  ｂ    （但し、前記第３の点のｘ−ｙ座標が、（ａ，ｂ）である）【選択図】      図４
2013158355.tif 000002
【特許請求の範囲】
【請求項１】
収納棚の下面と、前記収納棚の下面の前端部から下方に延びる前面壁とで画定される下側空間に収容される昇降棚であって、
上面が開放された棚箱と、
前記棚箱が前記下側空間内に収容される収容位置と、前記収容位置よりも下方でかつ前方に位置する下降位置との間を昇降自在に、前記棚箱を支持する支持手段と、を備えていることを特徴とする昇降棚。
【請求項２】
前記棚箱を側面視したときにおける、前記棚箱が前記収容位置に位置するときの当該棚箱の前面側の上端縁の位置を第１の点、下降位置に位置するときの前記上端縁の位置を第２の点、前記前面壁の下端縁の位置を第３の点とし、前方向をｙ軸、下方向をｘ軸としたときに、
前記支持手段は、前記棚箱が前記収容位置と前記下降位置との間を移動するときに、前記上端縁が前記第１の点と前記第２の点との間を移動する際の当該上端縁の軌跡を示す式ｙ＝ｆ（ｘ）が、下記条件１及び２を満たすように前記棚箱を支持する請求項１に記載の昇降棚。
条件１：ｆ´´（ｘ）  ＞  ０
条件２：ｆ（ａ）  ＜  ｂ    
（但し、前記第３の点のｘ−ｙ座標が、（ａ，ｂ）である）
【請求項３】
前記前面壁は、前記収納棚の前面に開閉自在に設けられている開閉扉の下端部により構成されている請求項１又は２に記載の昇降棚。
【請求項４】
前記支持手段は、一端が前記下面における前記下側空間内の前方側に回動可能に接続され、他端が前記棚箱の後方側に回動可能に接続された第１リンクと、
一端が前記下面における前記下側空間内の後方側に回動可能に接続され、他端が前記棚箱の前方側に回動可能に接続された第２リンクと、を備え、
前記第２リンクは、一端側の回動軸が、前記第１リンクの一端側の回動軸に対して前後方向に移動可能とされるとともに、他端側の回動軸が、前記第１リンクの他端側の回動軸に対して前後方向に移動可能とされていることで、前記棚箱を、前記収容位置から下方に移動するのに応じて前方に移動させる請求項１〜３のいずれか一項に記載の昇降棚。
【発明の詳細な説明】
【技術分野】
【０００１】
本発明は、キッチンの吊戸棚といった収納棚に設けられる昇降棚に関する。
【背景技術】
【０００２】
キッチンや洗面化粧台等において、空間を有効活用するために吊戸棚等といった収納棚の下面に昇降棚が設けられることがある（例えば、特許文献１参照）。
上記昇降棚は、上面が開放された棚箱と、この棚箱と吊戸棚の下面とを連結し、当該棚箱を昇降自在に支持する支持手段とを備えている。昇降棚の棚箱は、その上面が前記下面によって閉塞された状態で収納棚の下側に配置される上昇位置と、箱内部に収納物の出し入れを行うための位置である下降位置とを昇降するように構成されている。
【先行技術文献】
【特許文献】
【０００３】
【特許文献１】特開２００５−２３７６４３号公報
【発明の概要】
【発明が解決しようとする課題】
【０００４】
上記従来の昇降棚は、棚箱が上昇位置にあるときであっても、正面視したときに当該棚箱が収納棚の下面から露出するように配置されていた。このため、前記収納棚に上記昇降棚を設けると、露出した昇降棚によって、収納棚における外観上の統一感、あるいは当該収納棚を含むシステムキッチンとしての全体的な統一感を損なわせることがあった。
【０００５】
このため、例えば、収納棚の下方に、収容された棚箱が正面から見えないように前面が前壁部で画定された空間を設け、棚箱を、前記空間と下降位置との間で昇降するように構成することが考えられる。このようにすれば、前記空間に収容された棚箱を正面から見えないように隠すことができ、収納棚における外観上の統一感、あるいはシステムキッチン全体としての外観上の統一感を持たせることについては問題がなくなる。
しかしこの場合、使用者の利便性を考慮して棚箱を下方向に移動するのに応じて前方向（使用者側）にも移動するように構成しようとすると、前記空間から下方位置へ棚箱を移動させる際に前記前壁部によって棚箱の前方向への移動の軌跡が制限されてしまい、棚箱をほとんど前方に移動させることができなくなる場合がある。これにより、使用者の利便性を損なうおそれがある。
【０００６】
本発明はこのような事情に鑑みてなされたものであり、利便性を損なうことなく収納棚等の外観上の統一感を維持することができる昇降棚を提供することを目的とする。
【課題を解決するための手段】
【０００７】
上記目的を達成するための本発明は、収納棚の下面と、前記収納棚の下面の前端部から下方に延びる前面壁とで画定される下側空間に収容される昇降棚であって、上面が開放された棚箱と、前記棚箱が前記下側空間内に収容される収容位置と、前記収容位置よりも下方でかつ前方に位置する下降位置との間を昇降自在に、前記棚箱を支持する支持手段と、を備えていることを特徴としている。
上記構成の昇降棚によれば、棚箱が下方向に移動するのに応じて使用者側である前方向にも移動するので、使用者の利便性を高めることができる。
【０００８】
なお、上記収納棚とは、下面が露出した状態で設置される棚を指し、キッチンや洗面所に用いられる吊戸棚や、電子レンジ等の家電を収納するための収納空間を有する食器棚においてその収納空間の上方に設けられる戸棚部等を含む。
【０００９】
上記昇降棚において、棚箱を下方向に移動するのに応じて前方向にも移動させると、収容位置から下方位置へ棚箱を移動させる際に前壁部によって棚箱の前方向への移動の軌跡が制限されるおそれがある。
そこで、前記棚箱を側面視したときにおける、前記棚箱が前記収容位置に位置するときの当該棚箱の前面側の上端縁の位置を第１の点、下降位置に位置するときの前記上端縁の位置を第２の点、前記前面壁の下端縁の位置を第３の点とし、前方向をｙ軸、下方向をｘ軸としたときに、前記支持手段は、前記棚箱が前記収容位置と前記下降位置との間を移動するときに、前記上端縁が前記第１の点と前記第２の点との間を移動する際の当該上端縁の軌跡を示す式ｙ＝ｆ（ｘ）が、下記条件１及び２を満たすように前記棚箱を支持するものであることが好ましい。
条件１：ｆ´´（ｘ）  ＞  ０
条件２：ｆ（ａ）  ＜  ｂ    
（但し、前記第３の点のｘ−ｙ座標が、（ａ，ｂ）である）
【００１０】
上記の場合、上端縁の軌跡は、条件１に示すように、前方向への移動量に対する下方向への移動量の２階微分値が正なので、後方向に凸な形状となる。さらに、条件２を満たせば、上端縁の下方向における位置が第３の点と同じ位置となったときに、上端縁の前方向における位置が第３の点よりも第１の点側に位置するようにすることができる。
このため、棚箱を前面壁で画定された下側空間に収容としたとしても、当該棚箱を、前面壁を交わしながら、収容位置と、当該収容位置よりも下方でかつ前方に位置する下降位置との間を移動させることができる。この結果、下降位置では棚箱を前面側に移動させることで使用者の利便性を損なうことがなく、これと同時に、前面壁で画定された下側空間に棚箱を収容することができ、収納棚等の外観上の統一感を維持することができる。
【００１１】
上記昇降棚において、前記前面壁は、前記収納棚の前面に開閉自在に設けられている開閉扉の下端部により構成されていることが好ましく、この場合、開閉扉によって棚箱等を隠すことができ、収納棚等の外観上の統一感をより確保し易くすることができる。
【００１２】
前記支持手段は、一端が前記下面における前記下側空間内の前方側に回動可能に接続され、他端が前記棚箱の後方側に回動可能に接続された第１リンクと、一端が前記下面における前記下側空間内の後方側に回動可能に接続され、他端が前記棚箱の前方側に回動可能に接続された第２リンクと、を備え、前記第２リンクは、一端側の回動軸が、前記第１リンクの一端側の回動軸に対して前後方向に移動可能とされるとともに、他端側の回動軸が、前記第１リンクの他端側の回動軸に対して前後方向に移動可能とされていることで、前記棚箱を、前記収容位置から下方に移動するのに応じて前方に移動させるように構成されている。この場合、簡易な構成で、上記条件を満たすように棚箱を支持することができる。
【発明の効果】
【００１３】
以上のように、本発明の昇降棚によれば、利便性を損なうことなく収納棚等の外観上の統一感を維持することができる。
【図面の簡単な説明】
【００１４】
【図１】本発明の一実施形態による昇降棚を適用したシステムキッチンの正面図である。
【図２】図１中の昇降棚の要部拡大図である。
【図３】棚箱が収容位置にあるときの支持リンクを棚箱の内側から側面視したときの図である。
【図４】棚箱が下降位置にあるときの支持リンクを棚箱の内側から側面視したときの図である。
【図５】変形例に係る昇降棚を側面視したときの図である。
【発明を実施するための形態】
【００１５】
次に、本発明の好ましい実施形態について添付図面を参照しながら説明する。図１は、本発明の一実施形態による昇降棚を適用したシステムキッチンの正面図である。このシステムキッチン１は、上面にシンクが設けられたキャビネット２と、キャビネット２の上方に３台並べて配置され背面が壁面Ｈに固定されている収納棚としての吊戸棚３とを備えている。
また、吊戸棚３の下面には、昇降棚１０が固定されている。
【００１６】
図２は、図１中の昇降棚１０の要部拡大図である。なお、図２では、吊戸棚３の開閉扉３ａの一部を切り欠くことで、吊戸棚３の内部を示している。
図１及び図２を参照して、昇降棚１０は、吊戸棚３の底板３ｂの下面３ｂ１に固定されている。昇降棚１０は、上面が開放された棚箱１１と、下面３ｂ１に固定され棚箱１１を支持している一対の支持リンク１２とを備えている。
棚箱１１は、その内部に収納物が収納される箱状の部材であり、金属あるいは樹脂等で形成されている。棚箱１１の左右両側板の内側面には、それぞれ支持リンク１２が取り付けられており、棚箱１１は、この一対の支持リンク１２を介して下面３ｂ１に昇降可能に連結されている。
棚箱１１は、支持リンク１２によって、吊戸棚３の下面３ｂ１側に形成された下側空間内に収容された収容位置と、収容位置よりも下方でかつ前方に位置する下降位置との間を昇降自在とされている。
【００１７】
吊戸棚３の下面３ｂ１側に形成された下側空間は、吊戸棚３の下面３ｂ１と、壁面Ｈに沿って固定された背板Ｓと、当該下面３ｂ１の前端部のさらに前方側に位置するとともに前端部よりもさらに下方に延びている吊戸棚３の開閉扉３ａとで画定されることで構成された空間であり、下方に開口している。この下側空間は、収容位置に位置する棚箱１１が正面から見えないように当該棚箱１１を収容することが可能な寸法に設定されている。
【００１８】
支持リンク１２は、一端側が吊戸棚３の下面３ｂ１に設けられたブラケット４に接続され、他端側が棚箱１１の側板に接続されており、収容位置と下降位置との間を昇降自在に棚箱１１を支持している。
図３は、棚箱１１が収容位置にあるときの支持リンク１２を棚箱１１の内側から側面視したときの図であり、図４は、棚箱１１が下降位置にあるときの支持リンク１２を棚箱１１の内側から側面視したときの図である。
【００１９】
図３及び図４に示すように、支持リンク１２は、一端側に棚箱１１の昇降動作を緩衝するためのダンパ１３が接続された第１リンク１４と、長手方向ほぼ中央が第１リンク１４の中央にピン１６によって接続された第２リンク１５とを備えている。
【００２０】
第１リンク１４は、樹脂や金属等によって形成された棒状の部材であり、一端部が吊戸棚３の下面３ｂ１に突設されたブラケット４に回動可能に接続されており、他端部が棚箱１１の後方側に回動可能に接続されている。
第１リンク１４の一端部は、ピン４ａによってブラケット４に接続されている。ピン４ａは、第１リンク１４を当該ピン４ａの軸回りに回動可能に接続している。
ピン４ａは、第１リンク１４の一端部をブラケット４の前方側で接続している。これによって、第１リンク１４の一端部は、下側空間内の前方側に接続されている。
第１リンク１４の一端部には、当該第１リンク１４の長手方向に対して直交する方向に突出した突出部１４ａが形成されている。突出部１４ａの先端には、一端部がブラケット４に接続されたダンパ１３の他端部が接続されている。第１リンク１４は、突出部１４ａがダンパ１３に接続されることで、回動動作が制限される。これによって、棚箱１１の昇降動作が緩衝される。
第１リンク１４の他端部は、ピン１１ａによって棚箱１１の後方側に接続されている。ピン１１ａは、第１リンク１４を当該ピン１１ａの軸回りに回動可能に接続している。
【００２１】
第２リンク１５は、樹脂や金属等によって形成された棒状の部材であり、第１リンク１４と交差するように設けられている。上述のように、第２リンク１５と、第１リンク１４とは、ピン１６によって、長手方向ほぼ中央で互いに接続されており、交差しつつ相対回動可能とされている。
第２リンク１５は、一端部がブラケット４に回動可能に接続されており、他端部が棚箱１１の前方側に回動可能に接続されている。
第２リンク１５の一端部は、ピン４ｂによってブラケット４に接続されている。ピン４ｂは、第２リンク１５を当該ピン４ｂの軸回りに回動可能に接続している。
また、ピン４ｂは、ブラケット４に設けられた前後方向に延びるレール４ｃに沿って、前後方向に移動可能とされている。レール４ｃは、ブラケット４の後方側に前後方向に延びるように形成されており、ピン４ｂを前後方向に平行移動可能に保持している。
これにより、第２リンク１５の一端部は、その回動軸であるピン４ｂが、第１リンク１４の一端部の回動軸であるピン４ａに対して、前後方向に移動可能とされている。
【００２２】
第２リンク１５の他端部は、ピン１１ｂによって棚箱１１に接続されている。ピン１１ｂは、第２リンク１５を当該ピン１１ｂの軸回りに回動可能に接続している。
また、ピン１１ｂは、棚箱１１に設けられた前後方向に延びるガイド溝１１ｃに沿って、前後方向に移動可能とされている。ガイド溝１１ｃは、棚箱１１の前方側に前後方向に延びるように形成されており、ピン１１ｂを前後方向に平行移動可能に保持している。
これにより、第２リンク１５の他端部は、その回動軸であるピン１１ｂが、第１リンク１４の他端部の回動軸であるピン１１ａに対して、前後方向に移動可能とされている。
【００２３】
図３に示すように、棚箱１１が収容位置にあるとき、第１リンク１４は、前後方向にほぼ水平となるように回動している。これに応じて、第２リンク１５も前後方向にほぼ水平となるように回動している。このとき、ピン４ｂは、レール４ｃの最後方の位置に移動している。また、ピン１１ｂは、ガイド溝１１ｃの最前方の位置に移動している。
これによって、支持リンク１２は、上下方向に折り畳まれる。第１リンク１４は、ダンパ１３によって下方向への回動が制限されており、使用者等が、棚箱１１を下げる方向へ力を加えない限り、回動しないように構成されている。これにより、支持リンク１２は、棚箱１１を収容位置で支持する。
【００２４】
一方、使用者等が、棚箱１１を押し下げることで、当該棚箱１１が収容位置から下降位置まで移動するとき、第１リンク１４は、ピン４ａの軸回りに回動し、前後方向にほぼ水平な状態から起立する。これにより、ピン１１ａは、ピン４ａを中心に回転し下方向に移動する。また、ピン１１ａは、ピン４ａを中心に回転移動するので、下方向に移動するのに応じて前方にも移動する。よって、棚箱１１も、下方向に移動するのに応じて前方にも移動する。
第２リンク１５は、第１リンク１４の回動に応じて回動し、第１リンク１４に交差するように起立する。このとき、ピン４ｂは、レール４ｃの最後方の位置から、第２リンク１５の回動動作に応じて序々に前方に移動し、棚箱１１が下降位置に達するときにはレール４ｃの最前方の位置に移動する。また、ピン１１ｂもガイド溝１１ｃの最前方の位置から、第２リンク１５の回動動作に応じて序々に後方に移動し、棚箱１１が下降位置に達するときにはガイド溝１１ｃの最後方の位置に移動する。つまり、第２リンク１５は、回動に応じて、その両端がそれぞれ第１リンク１４の両端に近づくように移動する。
【００２５】
支持リンク１２は、上記のような両リンク１４，１５の動作によって、全体が上下方向に伸長し、棚箱１１を、収容位置から下降位置まで移動させる。このとき支持リンク１２は、棚箱１１を、ピン４ａを中心とした円弧を描くように、ほぼ平行な状態を維持しながら下降位置まで移動させる。
支持リンク１２は、棚箱１１を円弧を描くように移動させることで、収容位置から下方向に移動するのに応じて使用者の手前側である前方にも移動させ、収容位置よりも下方でかつ前方に位置する下降位置との間を昇降自在に支持している。
【００２６】
ここで、本実施形態の支持リンク１２は、棚箱１１が収容位置と下降位置との間を移動するときの当該棚箱１１の前面側上端縁の軌跡が、図４中、一点鎖線Ｉとなるように、棚箱１１を支持している。
すなわち、図４に示すように、棚箱１１を側面視したときにおける、棚箱１１が収容位置に位置するときの棚箱１１の前面側の上端縁の位置を第１の点Ｏ、下降位置に位置するときの前記上端縁の位置を第２の点Ｐ、開閉扉３ａの下端縁の位置を第３の点Ｑとし、前方向をｙ軸、下方向をｘ軸としたときに、前記上端縁の軌跡を示す一点鎖線Ｉを下記式（１）で表すとする。
ｙ  ＝  ｆ（ｘ）    ・・・（１）
【００２７】
支持リンク１２は、棚箱１１が収容位置と下降位置との間を移動する際の前記上端縁の軌跡を示す上記式（１）が、下記条件１及び２を満たすように棚箱１１を支持している。
条件１：ｆ´´（ｘ）  ＞  ０
条件２：ｆ（ａ）  ＜  ｂ    
（但し、第３の点Ｑのｘ−ｙ座標が、（ａ，ｂ）である）
【００２８】
第１リンク１４、及び第２リンク１５や、これらを各部に接続するピン４ａ、１１ａ、４ｂ、１１ｂ、レール４ｃ、ガイド溝１１ｃ等は、前記上端縁の軌跡を示す式（１）が上記条件１，２を満たしつつ棚箱１１を昇降できるように、その寸法等が設定されている。
この場合、支持リンク１２は、上記両リンク１４，１５等といった簡易な構成で、上記条件を満たすように棚箱１１を昇降支持することができる。
【００２９】
上記のように構成された昇降棚１０によれば、前記上端縁の軌跡は、条件１に示すように、前方向への移動量に対する下方向への移動量の２階微分値が正なので、後方向に凸な形状となる。さらに、条件２を満たせば、上端縁の下方向における位置が第３の点Ｑと同じ位置となったときに、上端縁の前方向における位置が第３の点Ｑよりも第１の点Ｏ側に位置するようにすることができる。
このため、棚箱１１を前面壁である開閉扉３ａで画定された下側空間に収容可能としたとしても、当該棚箱１１を、開閉扉３ａを交わしながら、収容位置と、当該収容位置よりも下方でかつ前方に位置する下降位置との間を移動させることができる。この結果、下降位置では棚箱１１を前面側（使用者側）に移動させることで使用者の利便性を損なうことがなく、これと同時に、開閉扉３ａで画定された下側空間に棚箱１１を収容することができ、システムキッチン１の外観上の統一感を維持することができる。
【００３０】
また、本実施形態では、開閉扉３ａの下端部によって下側空間の前面側を画定する前面壁を構成したので、開閉扉３ａによって棚箱１１等を隠すことができ、システムキッチン１の外観上の統一感をより確保し易くすることができる。
【００３１】
なお、本発明は上記実施形態に限定されるものではない。上記実施形態では、第１リンク１４及び第２リンク１５を備えた支持リンク１２によって、棚箱１１の上端縁の軌跡が上記条件を満たすように、棚箱１１を支持する場合を示したが、上記条件を満たすように棚箱１１を昇降可能な他の形式のリンク機構等によって支持リンク１２を構成してもよい。
【００３２】
また、上記実施形態では、下側空間の前面側を画定する前面壁を、開閉扉３ａの下端部によって構成した場合を例示したが、例えば、図５に示すように、底板３ｂの前端部から下方向に延びる幕板５によって構成することもできる。この場合、開閉扉３ａを開けている状態であっても、棚箱１１等を隠すことができる。なお、図５では、背板Ｓの底板３ｂよりも下側部分を省略した場合を示している。
【００３３】
また、例えば、吊戸棚等の収納棚の下面に、本発明の昇降棚を設置する場合において、昇降棚が側面側から露出してしまう場合には、下側空間を、吊戸棚の下面と、吊戸棚の下面の前端部から下方に延びる前面壁と、昇降棚の側面を隠すための側面壁とで構成してもよい。このように、側面壁を設けることで、昇降棚が側面側から露出してしまう場合にも、システムキッチン等の外観上の統一感を維持することができる。
【００３４】
上記実施形態では、本発明に係る昇降棚を、システムキッチン１の吊戸棚３に適用した場合、すなわち、収納棚としての吊戸棚３の下面３ｂ１によって、昇降棚１０が収容される下側空間を構成した場合を例示したが、これに限定されるものではなく、下面を露出した状態で設けられる戸棚であれば、本発明を適用することができる。
例えば、システムキッチンやシステム洗面化粧台としてでなく、キッチンや洗面台において一般的に用いられる吊戸棚等の収納棚についても、本発明を適用することができる。
この場合、本発明を適用することにより、当該収納棚としての外観上の統一感を維持することができる。
【００３５】
また、電子レンジ等の家電を収納するための収納空間を有する食器棚において、その収納空間の上方に設けられる戸棚部に対しても、本発明に係る昇降棚を適用することもできる。つまり、このような収納空間の上方に設けられる戸棚部は、下面が露出した状態で設けられている。よって、この下面によって下側空間を構成することができる。
この場合、本発明を適用することにより、食器棚としての外観上の統一感を維持することができる。
以上のように、本発明は、キッチンや洗面で用いられる収納棚の他、食器棚等の家具において下面を露出した状態で設置される戸棚部に対しても適用することができる。
【符号の説明】
【００３６】
１  システムキッチン
３  吊戸棚（収納棚）
３ａ  開閉扉
３ｂ１  下面
４ａ  ピン
４ｂ  ピン
１０  昇降棚
１１  棚箱
１１ａ  ピン
１１ｂ  ピン
１２  支持リンク
１４  第１リンク
１５  第２リンク
【図１】
2013158355.tif 000003
【図２】
2013158355.tif 000004
【図３】
2013158355.tif 000005
【図４】
2013158355.tif 000006
【図５】
2013158355.tif 000007